(57)【要約】【課題】運転者などの多様な使い勝手に適応できるクッションを提供する。【解決手段】自動車シート（１０）に装着可能な布製の背もたれ用のシート本体（２）の上部に布製の補助シート（３）の上部を取り付け、補助シート（３）の裏面に上方で開口するメッシュ地製ボケット（９）を取り付け、シート本体（２）の上縁部に取り付け孔（４）を形成するとともに、シート本体（２）の下側に横方向の腰当てクッション（５）を形成し、さらに、シート本体（２）の裏面中央位置、補助シート（３）の裏面下縁部およびシート本体（２）の表面やや上方位置に対の面フアスナー（６、７、８）を固定して、シート補助クッション（１）を構成する。【選択図】図１
0003111965.tif 000002
【実用新案登録請求の範囲】
【請求項１】
自動車シート（１０）に装着可能な背もたれ用のシート本体（２）の上部に補助シート（３）の上部を取り付け、シート本体（２）の上縁部に取り付け孔（４）を形成するとともに、シート本体（２）の下側に腰当てクッション（５）を形成し、さらにシート本体（２）の裏面中央位置および補助シート（３）の裏面下部に対の面フアスナー（６、７）を固定してなり、
シート補助クッション（１）を自動車シート（１０）に装着して、腰当てクッション（５）を自己の背面の腰に当て、背筋を伸ばしたり、腰当てクッション（５）を丸め上げて、シート本体（２）の裏面中央位置の面フアスナー（６）と補助シート（３）の裏面下部の面フアスナー（７）とを取り外し可能な状態で接合することにより、腰当てクッション（５）を枕として利用し、枕の位置でシート本体（２）と補助シート（３）とで形成される空間に蓄熱材（１１）を挿入して、蓄熱材（１１）によって対応の部位を加温・冷却可能とすることを特徴とするシート補助クッション（１）。
【請求項２】
自動車シート（１０）に装着可能な布製の背もたれ用のシート本体（２）の上部に布製の補助シート（３）の上部を取り付け、補助シート（３）の裏面に上方で開口するメッシュ地製ボケット（９）を取り付け、シート本体（２）の上縁部に取り付け孔（４）を形成するとともに、シート本体（２）の下側に横方向の腰当てクッション（５）を形成し、さらに、シート本体（２）の裏面中央位置、補助シート（３）の裏面下縁部およびシート本体（２）の表面やや上方位置に対の面フアスナー（６、７、８）を固定してなり、
シート補助クッション（１）を自動車シート（１０）に装着して、腰当てクッション（５）を自己の背面の腰に当て、背筋を伸ばしたり、シート本体（２）の表面やや上方位置の面フアスナー（８）と補助シート（３）の裏面下縁部の面フアスナー（７）とを取り外し可能な状態で接合することにより、シート本体（２）と補助シート（３）との間に蓄熱材（１１）を挿入可能とし、また腰当てクッション（５）を丸め上げて、シート本体（２）の裏面中央位置の面フアスナー（６）と補助シート（３）の裏面下部の面フアスナー（７）とを取り外し可能な状態で接合することにより、腰当てクッション（５）を枕として利用可能とし、枕の位置でシート本体（２）と補助シート（３）とで形成される空間に蓄熱材（１１）を挿入して、蓄熱材（１１）によって対応の部位を加温・冷却可能とすることを特徴とするシート補助クッション（１）。
【考案の詳細な説明】
【技術分野】
【０００１】
本考案は、自動車シートに装着可能な補助的なクッション、特に枕として利用できる腰当てクッションを有するクッションに関する。
【背景技術】
【０００２】
特許文献１や特許文献１には、自動車シートに装着可能なクッションまたはカバーが開示されているか、それらは運転者などの多様な使い勝手に充分対応できず、枕や保冷材の保持などに利用できない。
【特許文献１】特開２０００−４９９４号公報
【特許文献２】特開２０００−８７９５号公報
【考案の開示】
【考案が解決しようとする課題】
【０００３】
本考案の課題は、運転者などの多様な使い勝手に適応できるクッションを提供することである。
【課題を解決するための手段】
【０００４】
上記の課題のもとに、本考案は、自動車シート（１０）に装着可能な背もたれ用のシート本体（２）の上部に補助シート（３）の上部を取り付け、シート本体（２）の上縁部に取り付け孔（４）を形成するとともに、シート本体（２）の下側に腰当てクッション（５）を形成し、さらにシート本体（２）の裏面中央位置および補助シート（３）の裏面下部に対の面フアスナー（６、７）を固定して、シート補助クッション（１）を構成している（請求項１）。
【０００５】
使用者は、請求項１に係るシート補助クッション（１）を自動車シート（１０）に装着して、腰当てクッション（５）を自己の背面の腰に当て、背筋を伸ばしたり、腰当てクッション（５）を丸め上げて、シート本体（２）の裏面中央位置の面フアスナー（６）と補助シート（３）の裏面下部の面フアスナー（７）とを取り外し可能な状態で接合することにより、腰当てクッション（５）を枕として利用し、必要に応じて、枕の位置でシート本体（２）と補助シート（３）とで形成される空間に蓄熱材（１１）を挿入して、蓄熱材（１１）によって対応の部位を加温・冷却する。
【０００６】
また、本考案は、自動車シート（１０）に装着可能な布製の背もたれ用のシート本体（２）の上部に布製の補助シート（３）の上部を取り付け、補助シート（３）の裏面に上方で開口するメッシュ地製ボケット（９）を取り付け、シート本体（２）の上縁部に取り付け孔（４）を形成するとともに、シート本体（２）の下側に横方向の腰当てクッション（５）を形成し、さらにシート本体（２）の裏面中央位置、補助シート（３）の裏面下縁部およびシート本体（２）の表面やや上方位置に、対の面フアスナー（６、７、８）を固定して、シート補助クッション（１）を構成している（請求項２）。
【０００７】
使用者は、請求項２に係るシート補助クッション（１）を自動車シート（１０）に装着して、腰当てクッション（５）を自己の背面の腰に当て、背筋を伸ばしたり、シート本体（２）の表面やや上方位置の面フアスナー（８）と補助シート（３）の裏面下縁部の面フアスナー（７）とを取り外し可能な状態で接合することにより、シート本体（２）と補助シート（３）との間に蓄熱材（１１）を挿入し、また、腰当てクッション（５）を丸め上げて、シート本体（２）の裏面中央位置の面フアスナー（６）と補助シート（３）の裏面下部の面フアスナー（７）とを取り外し可能な状態で接合することによんって、腰当てクッション（５）を枕として利用し、枕の位置でシート本体（２）と補助シート（３）とで形成される空間に蓄熱材（１１）を挿入して、蓄熱材（１１）によって対応の部位を加温・冷却する。
【考案の効果】
【０００８】
請求項１によると、腰当てクッション（５）を枕としても利用でき、また必要に応じて、枕の位置でに蓄熱材（１１）を保持できるから、蓄熱材（１１）によって対応の部位を加温・冷却できる。このように、腰当て、枕、枕位置での加温・冷却という機能により、運転者のコンデションに応じてより適切で快適な状態が得られる。
【０００９】
請求項２によると、請求項１の効果の他に、シート補助クッション（１）の上方位置でシート本体（２）と補助シート（３）との間またはボケット（９）にも蓄熱材（１１）が保持できるるから、一層多様な状態での利用が可能となる。
【考案を実施するための最良の形態】
【００１０】
図１ないし図４は、本考案に係るシート補助クッション１を示している。シート補助クッション１は、自動車シート１０の前面に装着可能な大きさの縦長の背もたれ側のシート本体２と、シート本体２の上部に取り付けられる例えば矩形の補助シート３からなる。シート本体２および補助シート３は、通気性を持たせるために、ともに布製例えばキルテング地により構成される。
【００１１】
補助シート３の上部辺は、シート本体２の上部辺に縫い付けにより一体的に取り付けられており、シート本体２および補助シート３は、その上縁部の縫い付け位置で、これらを自動車シート１０の頭受け１２の２本の支持ロッド１３に挿入するための取り付け孔４を形成している。なお、補助シート３の裏面に、上方で開口するメッシュ地製のボケット９が必要に応じて縫い付けられている。このボケット９は、保冷材または保温材などの蓄熱材１１や小物の収納に用いられる。
【００１２】
シート本体２は、下側で横方向の例えば２つの腰当てクッション５を形成している。クッション５は、シート本体２の生地で袋を形成し、その袋の中に多数の小さなパイプ、ビーズなどの適当なクッション材を入れるか、またはシート本体２の生地面にスポンジ状の低反発または高反発のクッション材を接着して形成する。
【００１３】
さらにシート本体２の裏面中央位置、補助シート３の裏面下縁部およびシート本体２の表面やや上方位置に、マジックテープ（登録商標）などの対の面フアスナー６、７、８が縫い付けまたは接着などにより固定されている。補助シート３の面フアスナー７は、シート本体２の面フアスナー６、８に対して、取り外し可能な状態で接合できるようになっている。
【００１４】
シート補助クッション１の使用に当たり、運転手などの利用者は、補助シート３を自己の背側として、シート本体２を自動車シート１０に装着する。この装着は、自動車シート１０の頭受け１２を自動車シート１０から外し、２本の支持ロッド１３に取り付け孔４を挿入することによって行う。
【００１５】
そして、利用者は、図３のように、腰当てクッション５を自己の背面の腰に当て、そこを押し当てたり、背筋を伸ばしたりするが、必要に応じて、シート本体２の表面やや上方位置の面フアスナー８と補助シート３の裏面下縁部の面フアスナー７とを取り外し可能な状態で接合することにより、シート本体２と補助シート３との間に形成される空間に、保冷材または保温材などの蓄熱材１１を挿入し、対応の部位を加温・冷却する。
【００１６】
また、利用者は、図４のように、腰当てクッション５を丸め上げて、シート本体２の裏面中央位置の面フアスナー６と補助シート３の裏面下部の面フアスナー７とを取り外し可能な状態で接合することにより、腰当てクッション５を首ないし後頭部の枕として利用し、必要ならば、枕の位置でシート本体２と補助シート３とで形成される空間に蓄熱材１１を挿入し、この蓄熱材１１によって対応の部位を加温・冷却する。
【産業上の利用可能性】
【００１７】
本考案のシート補助クッション１は、助手席のその他の席でも利用できる。なお、取り付け孔４はフック状の孔、紐などにより構成することもでのる。
【図面の簡単な説明】
【００１８】
【図１】本考案のシート補助クッション１の正面図である。
【図２】本考案のシート補助クッション１の側面図である。
【図３】本考案のシート補助クッション１の使用状態での側面図である。
【図４】本考案のシート補助クッション１の使用状態での側面図である。
【符号の説明】
【００１９】
１  シート補助クッション
２  シート本体
３  補助シート
４  取り付け孔
５  腰当てクッション
６  面フアスナー
７  面フアスナー
８  面フアスナー
９  ポケット
１０  自動車シート
１１  蓄熱材
１２  頭受け
１３  支持ロッド
【図１】
0003111965.tif 000003
【図２】
0003111965.tif 000004
【図３】
0003111965.tif 000005
【図４】
0003111965.tif 000006